(57)【要約】【課題】操作つまみを回転操作する時に操作者に不安感を与えない燃料供給装置とガスコンロを提供する。【解決手段】燃料装着装置は、手前方向に延びる軸体を有する固定部と火力調節カムと、手前方向と反対方向の奥方向に延びる連結部材２５を有し、連結部材２５の内部に軸方向に沿って設けた軸体と嵌合する嵌合深孔２５Ａを同軸に設けた操作つまみと、を備え、火力調節カムは、軸体を嵌合深孔２５Ａに挿入し、操作つまみを押し込み方向回りに回動させることで燃料を調整し、連結部材２５の奥方向の端部の開口部周縁部に環状又は扇状の凹凸部が形成されており、プッシュ・プッシュ機構は、軸体に挿入され、凹凸部に当接する少なくとも一つの突起４１Ｃを有する弾性部材４１を有する。【選択図】図１４
2019044994.tif 000002
【特許請求の範囲】
【請求項１】
手前方向に延びる内軸を有する固定部と、
前記手前方向と反対方向の奥方向に延びる外軸を備え、前記外軸の内部に軸方向に沿って設けた前記内軸と嵌合する孔を同軸に設けた操作つまみと、
を備え、
前記固定部は、前記内軸を前記孔に挿入し、前記操作つまみを押し込み方向回りに回動させることで燃料を調整し、
前記外軸の前記奥方向の端部の開口部周縁部に環状又は扇状に凹凸が形成されている凹凸部を有し、
前記固定部は、前記内軸に挿入され、前記凹凸部に当接する少なくとも一つの突起を有する突起部材を有することを特徴とする燃料供給装置。
【請求項２】
前記外軸は、前記開口部周縁部に前記孔と同軸上に凹む環状の凹部を有し、
前記凹凸部は、前記凹部の底面に形成されており、
前記突起部材は、前記手前方向に向けて切り起こされた切り起こしを有する板バネ部材であって、
前記突起は、前記切り起こしに形成されており、
前記切り起こしは、前記操作つまみが前記固定部に装着されている状態で、前記凸凹に当接することを特徴とする請求項１に燃料供給装置。
【請求項３】
手前方向に延びる内軸を有する固定部と、
前記手前方向と反対方向の奥方向に延びる外軸を備え、前記外軸の内部に軸方向に沿って設けた前記内軸と嵌合する孔を同軸に設けた操作つまみと、
を備え、
前記固定部は、前記内軸を前記孔に挿入し、前記操作つまみを押し込み方向回りに回動させることで燃料を調整し、
前記外軸の前記奥方向の端部の開口部周縁部に環状又は扇状に凹凸が形成されている凹凸部を有し、
前記固定部は、前記内軸に挿入され、前記凹凸部に当接する前記手前方向に切り起こされた切り起こしを有することを特徴とする燃料供給装置。
【請求項４】
請求項１乃至３の何れか一に記載の燃料供給装置を備えることを特徴とするガスコンロ。
【発明の詳細な説明】
【技術分野】
【０００１】
本発明は燃料供給装置及びガスコンロに関する。
【背景技術】
【０００２】
ガスコンロは、コンロバーナにガスを供給する燃料供給装置を備える。燃料供給装置は回転操作することで火力を調節する操作具を有している（例えば、特許文献１を参照）。例えば、操作具を軽量化する為に、樹脂などで形成した場合、操作具の操作感が軽くなり、操作者に不安感を与えてしまうことが考えられる。
【先行技術文献】
【特許文献】
【０００３】
【特許文献１】特開２０１７−３１６４号公報
【発明の概要】
【発明が解決しようとする課題】
【０００４】
本発明の目的は、操作つまみを回転操作する時に操作者に不安感を与えない燃料供給装置とガスコンロを提供することである。
【課題を解決するための手段】
【０００５】
請求項１に係る燃料供給装置は、手前方向に延びる内軸を有する固定部と、前記手前方向と反対方向の奥方向に延びる外軸を備え、前記外軸の内部に軸方向に沿って設けた前記内軸と嵌合する孔を同軸に設けた操作つまみと、を備え、前記固定部は、前記内軸を前記孔に挿入し、前記操作つまみを押し込み方向回りに回動させることで燃料を調整し、前記外軸の前記奥方向の端部の開口部周縁部に環状又は扇状に凹凸が形成されている凹凸部を有し、前記固定部は、前記内軸に挿入され、前記凹凸部に当接する少なくとも一つの突起を有する突起部材を有することを特徴とする。
【０００６】
請求項２に係る燃料供給装置は、請求項１に記載の構成に加え、前記外軸は、前記開口部周縁部に前記孔と同軸上に凹む環状の凹部を有し、前記凹凸部は、前記凹部の底面に形成されており、前記突起部材は、前記手前方向に向けて切り起こされた切り起こしを有する板バネ部材であって、前記突起は、前記切り起こしに形成されており、前記切り起こしは、前記操作つまみが前記固定部に装着されている状態で、前記凸凹に当接することを特徴とする。
【０００７】
請求項３に係る燃料供給装置は、手前方向に延びる内軸を有する固定部と、前記手前方向と反対方向の奥方向に延びる外軸を備え、前記外軸の内部に軸方向に沿って設けた前記内軸と嵌合する孔を同軸に設けた操作つまみと、を備え、前記固定部は、前記内軸を前記孔に挿入し、前記操作つまみを押し込み方向回りに回動させることで燃料を調整し、前記外軸の前記奥方向の端部の開口部周縁部に環状又は扇状に凹凸が形成されている凹凸部を有し、前記固定部は、前記内軸に挿入され、前記凹凸部に当接する前記手前方向に切り起こされた切り起こしを有することを特徴とする。
【０００８】
請求項４に係るガスコンロは、請求項１乃至３の何れか一に記載の燃料供給装置を備えることを特徴とする。
【発明の効果】
【０００９】
請求項１に係る燃料供給装置によれば、操作つまみが回動操作されると、凹凸と突起が擦れ合って、操作者に操作感を与えることができる。故に、操作者の不安感を払拭することができる。
【００１０】
請求項２に係る燃料供給装置によれば、請求項１に記載の発明の効果に加え、板バネという弾性部材を使用することで、突起と凸凹の耐久性が向上する。
【００１１】
請求項３に係る燃料供給装置によれば、操作つまみが回動操作されると、凹凸と切起こしが擦れ合って、操作者に操作感を与えることができる。故に、操作者の不安感を払拭することができる。
【００１２】
請求項４に係るガスコンロは、請求項１乃至３の何れか一の燃料供給装置が有する効果を奏する。
【００１３】
なお、本発明は、請求項１乃至３の夫々の発明特定事項を任意に組み合わせてもよい。
【図面の簡単な説明】
【００１４】
【図１】ガスコンロ１の斜視図である。
【図２】燃料供給装置２０の斜視図である。
【図３】操作つまみ１４が操作位置にある場合の燃料供給装置２０の図である。
【図４】ラインＡＧにおける、燃料供給装置２０の断面図である。
【図５】操作つまみ１４が消火位置にある場合を示す図である。
【図６】火力調節カム２６の上面図である。
【図７】火力調節カム２６の裏面図である。
【図８】火力調節カム２６の前面図である。
【図９】火力調節カム２６の側面図である。
【図１０】点火ガイド４０と第一傾斜カム部３７Ａについて説明する為の図である。
【図１１】点火ガイド４０を説明する為の図である。
【図１２】連結部材２５の斜視図である。
【図１３】カム部３６について説明する為の図である。
【図１４】連結部材２５と弾性部材４１と点火ガイド４０の連結状態を説明する為の図である。
【図１５】弾性部材４１の前面視図である。
【図１６】弾性部材４１の上面視図である。
【発明を実施するための形態】
【００１５】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１６】
図１を参照し、ガスコンロ１について説明する。ガスコンロ１は、ビルトインコンロである。ガスコンロ１は筐体２と天板３を備える。筐体２は上部が開口し、開口部分に天板３が設置される。天板３において、右手前には右バーナ４、左手前には左バーナ５、中央奥側には奥バーナ６が設けられる。天板３の後方部には、筐体２内に設置されたグリル装置（図示略）の排気口７が設けられる。
【００１７】
ガスコンロ１の前面の略中央には、グリル扉８が設けられる。グリル扉８は、グリル装置に設けられるグリル庫（図示略）の前側開口部分を開閉する。グリル扉８の右側の領域には、正面視円形状の２つの操作つまみ１１、１２が横方向に並んで設けられる。グリル扉８の左側の領域には、操作つまみ１１、１２と同じ高さ位置に、同一形状の２つの操作つまみ１３、１４が横方向に並んで設けられる。操作つまみ１１〜１４の夫々は、右バーナ４、グリル庫内のグリルバーナ（図示略）、奥バーナ６、左バーナ５の点火、消火及び火力調節を行う為に操作される。操作つまみ１１〜１４は、夫々、燃料供給装置２０（図２参照）の前端部に取り付けられる。
【００１８】
図２を参照し、燃料供給装置２０について説明する。ガスコンロ１は、右バーナ４、左バーナ５、奥バーナ６、及びグリル装置にガスを供給する４つの燃料供給装置を備える。そのうち、右バーナ４、左バーナ５、奥バーナ６にガスを供給する燃料供給装置２０は公知のプッシュ・プッシュ機構２４を備えた同一構成の装置である。また、グリル装置にガスを供給する燃料供給装置（図示略）は、燃料供給装置２０と同様のプッシュ・プッシュ機構を備えるが、ガス流量の調節を電磁弁によって行うため、流量調節部（図示略）を別体に設ける。以下では、左バーナ５にガスを供給する燃料供給装置２０を一例として説明し、右バーナ４、奥バーナ６、グリル装置にガスを供給する燃料供給装置については説明を省略する。なお、右バーナ４にガスを供給する燃料供給装置と、奥バーナ６にガスを供給する燃料供給装置は、燃料供給装置２０と同一構成であるので、便宜上、同一の符号を付して燃料供給装置２０と呼ぶ。
【００１９】
図２に示す様に、燃料供給装置２０は、操作つまみ１４の押し込み操作と回動操作により、左バーナ５の点火と消火、及び左バーナ５に供給するガス量の調節を行う装置である。押し込み操作は、操作つまみ１４の前面を後方へ押圧し、ガスコンロ１の前面よりも奥側に押し込む操作である。回動操作は、操作つまみ１４の側面を把持し、前後方向の軸（軸心ＡＸ）を中心に回動する操作である。燃料供給装置２０は、操作部２１、ガス流路部２２、火力調節カム２６、流量調節部３１等を備える。
【００２０】
操作部２１は操作つまみ１４、プッシュ・プッシュ機構２４、連結部材２５を備える。連結部材２５は後述する。操作つまみ１４は略円柱状に形成される。操作つまみ１４は、ガスコンロ１の後方へ向けて押し込み移動させることにより、待機位置、押込位置、操作位置の各位置に移動する。待機位置は、操作つまみ１４の先端面が、ガスコンロ１の前面とほぼ面一となる位置である。待機位置において、操作つまみ１４の先端面は、ガスコンロ１の前面よりも僅かに後側に位置してもよいし、僅かに前側に位置してもよい。なお、図２に示す燃料供給装置２０は、操作つまみ１４が待機位置に位置する。押込位置は、操作つまみ１４の先端面が、ガスコンロ１の前面よりも後方に押し込まれた位置である。操作つまみ１４は、押込位置にて待機位置よりも後方に位置する。操作位置は、操作つまみ１４の先端面が、ガスコンロ１の前面に対して突出する位置である。操作つまみ１４は、操作位置にて待機位置よりも前方に位置する。操作位置にあるとき、操作つまみ１４は、前後方向に沿う軸心ＡＸを中心に回動可能（回動操作可能）である。
【００２１】
プッシュ・プッシュ機構２４は、操作つまみ１４が前方・後方に進退自在に、且つ軸心ＡＸ回りに回動自在に前方端部に連結されている。プッシュ・プッシュ機構２４は、操作つまみ１４を待機位置、押込位置、操作位置の各位置にて位置決めし、各位置に応じて後述するメイン弁（図示略）を開放状態又は閉鎖状態に維持する。プッシュ・プッシュ機構２４の内部には、操作つまみ１４の押し込み操作に合わせて前後方向に移動するスライダ（図示略）と、スライダを前方へ向けて付勢するバネと、メイン弁を駆動する弁駆動部（図示略）が設けられる。スライダには公知のカム機構（図示略）が設けられる。スライダは、操作つまみ１４が押し込み操作される度に、操作つまみ１４を待機位置から押込位置を経て操作位置に移動する動作と、操作位置から押込位置を経て待機位置移動する動作とを繰り返す。弁駆動部は、操作つまみ１４が待機位置から操作位置に移動する動作に連動してメイン弁を開放し、且つ開放状態に維持する動作を行い、操作つまみ１４が操作位置から待機位置に移動する動作に連動してメイン弁を閉鎖し、且つ閉鎖状態に維持する動作を行う。なお、上述のプッシュ・プッシュ機構２４の説明は、既存のプッシュ・プッシュ機構２４の一例の簡略的な説明であり、他のプッシュ・プッシュ機構２４を適用しても良い。
【００２２】
ガス流路部２２は、プッシュ・プッシュ機構２４の後側に連結される。ガス流路部２２の内部には第一ガス通路（図示略）が形成される。第一ガス通路は、下部に開口する導入口２３に接続するガス供給管（図示略）から供給されるガスを、流量調節部３１に流通する。第一ガス通路には安全弁（図示略）とメイン弁（図示略）が設けられる。安全弁は、第一ガス通路を閉じる閉状態に弾性付勢された電磁操作式の弁である。メイン弁は、操作つまみ１４の押し込み操作に応じて第一ガス通路の開閉を行う弁である。なお、メイン弁と安全弁は何れも周知のものであるので、動作の詳細な説明は省略する。
【００２３】
流量調節部３１は、プッシュ・プッシュ機構２４とガス流路部２２の上部に設けられる。流量調節部３１の内部には第二ガス通路（図示略）が形成される。第二ガス通路は、ガス流路部２２から供給されるガスを流通し、上部に開口する流出口３２に接続されるガス供給管（図示略）を介して左バーナ５に供給する。流量調節部３１の前端部には第二ガス通路に連通する穴部３０が形成され、ニードル弁２８が挿入される。ニードル弁２８は、前端部側が穴部３０から外部に露出され、後端部側が第二ガス通路内にて前後方向に移動可能に配置される。ニードル弁２８の前端部には、上下方向に延びるピン２９が設けられる。ピン２９の下端部は、火力調節カム２６のカム溝２７（後述）に係合する。
【００２４】
火力調節カム２６は、略半円筒状に形成され、プッシュ・プッシュ機構２４の前端側上部を覆うようにして、軸心ＡＸの回りを回動可能に設けられている。火力調節カム２６は、前後方向への移動が規制される。火力調節カム２６の外周部には、カム溝２７が設けられる。カム溝２７は、軸心ＡＸを中心とする螺旋状に形成される。カム溝２７にはニードル弁２８に設けられたピン２９の下端部が係合する。火力調節カム２６が回動すると、カム溝２７がピン２９を案内し、ニードル弁２８を前後方向に移動する。
【００２５】
火力調節カム２６は、前方に延びる延伸部３７を備え、延伸部３７の前端部分に内向きに突出する側歯部３５を有する。延伸部３７につては、更に後述する。側歯部３５は、図３と図４に示す様に、操作つまみ１４が操作位置にあるときに連結部材２５の側歯部３８（後述）に噛合し、連結部材２５を介して火力調節カム２６を操作つまみ１４と共に軸心ＡＸを中心に回動する。
【００２６】
操作部２１の連結部材２５は、プッシュ・プッシュ機構２４のスライダから前方に延び、軸心ＡＸを軸とする軸体（図示略）に係合する。連結部材２５は、前端部にて操作つまみ１４を一体に固定し、操作つまみ１４と共に軸心ＡＸを中心に回動可能に設けられる。連結部材２５は、後端部外周面に、火力調節カム２６の側歯部３５に噛合する側歯部３８を有する。操作つまみ１４が操作位置にあるとき、図３と図４に示す様に、連結部材２５の側歯部３８は火力調節カム２６の側歯部３５と噛合し、操作つまみ１４と火力調節カム２６を連結する。操作つまみ１４が操作位置にない場合には、火力調節カム２６の側歯部３５は、図５に示す様に（図５の例は操作つまみ１４が消火位置にある場合）、連結部材２５の側歯部３８の前方に位置して噛合せず、操作つまみ１４と火力調節カム２６の連結状態を解除する。より具体的には、操作つまみ１４が例えば消火位置にある時は、側歯部３８は側歯部３５の後側に位置する。一方、操作つまみ１４が操作位置に突出することに伴い、側歯部３８が操作つまみ１４と連動して操作つまみ１４の突出方向に移動して、側歯部３５の間に入り込み。そして、操作つまみ１４が、操作位置まで突出した時に、側歯部３８は側歯部３５と噛合する。故に、押し込み操作時に生じる回動力が操作つまみ１４に伝わることが無いので、操作つまみ１４が回転してユーザに違和感を与えてしまうのを防ぐことができる。なお、図５中の４０は、ニードル弁２８を強制的に第二の所定の位置（後述）にガイドする為の筒状の点火ガイドである。点火ガイド４０は、操作つまみと前後方向に連動し、非回動となっている。点火ガイド４０については、更に後述する。
【００２７】
次に、操作つまみ１４の回動操作による点火及び消火と火力の調節について説明する。左バーナ５の消火時、操作つまみ１４は、待機位置にある。ユーザが操作つまみ１４を押し込み、操作つまみ１４が押込位置に移動する過程で、安全弁とメイン弁が開放され、イグナイタ（図示略）によって左バーナ５が点火される。ユーザが操作つまみ１４から手を離すと、操作つまみ１４はバネの付勢により操作位置に移動する。安全弁とメイン弁は開放状態に維持される。連結部材２５によって、操作つまみ１４と火力調節カム２６が連結される。
【００２８】
操作つまみ１４が操作位置にある状態で操作つまみ１４が回動操作されると、火力調節カム２６は操作つまみ１４と共に軸心ＡＸの回りを回動する。火力調節カム２６が回動すると、ニードル弁２８のピン２９がカム溝２７に案内されて、前後方向に移動する。これにより、ニードル弁２８が前後方向に移動するので、ニードル弁２８の位置に応じて、第二ガス通路を流通するガスの流量が調節され、左バーナ５の火力が変更される。
【００２９】
ユーザが操作つまみ１４を押し込み、操作つまみ１４が押込位置に移動する過程で、安全弁とメイン弁が閉鎖される。左バーナ５は消火する。ユーザが操作つまみ１４から手を離すと、操作つまみ１４はバネの付勢により待機位置に移動する。安全弁とメイン弁は閉鎖状態に維持される。
【００３０】
このように、燃料供給装置２０は、操作つまみ１４の回動操作に伴い、火力調節カム２６がニードル弁２８を移動することによって、流量調節部３１の第二ガス通路を流通するガスの流量を無段階に調節する。即ち、操作つまみ１４の回動量に応じて、左バーナ５の火力がリニアに変化する。右バーナ４、奥バーナ６に夫々対応する操作つまみ１１、１３についても同様である。ガスコンロ１は、操作つまみ１１、１３、１４の夫々の回動量に応じた火力表示を行うため、前面に設けるパネル装置９Ａ、９Ｂに火力表示機能を備える。
【００３１】
図１に示す様に、ガスコンロ１は、グリル扉８の右側の領域に、右バーナ４とグリル装置の火力表示を行うパネル装置９Ａを備え、グリル扉８の左側の領域に、左バーナ５と奥バーナ６の火力表示を行うパネル装置９Ｂを備える。
【００３２】
ここで、図５乃至図９を参照し、延伸部３７について説明する。延伸部３７は、図６に示す様に、前方に先細りするテーパ形状の第一傾斜カム部３７Ａを略中央部の両側に有する。延伸部３７は、第一傾斜カム部３７Ａの前方端部から前方に延びる舌片３７Ｂを有する。本実施形態においては、舌片３７Ｂは有していても、いなくても良い。舌片３７Ｂは、図５に示す様に、連結部材２５と点火ガイド４０との間の空間に挿入されている。延伸部３７は、図６に示す様に、延伸部３７の後部の両側に、前後方向に延伸し、左右方向の一方に夫々突出する鍔３７Ｃと、延伸部３７の後部の中央に係止部３７Ｄを有する。鍔３７Ｃは、カム部３６（後述）を火力調節カム２６に装着する時に、カム部３６の係止溝３６Ｂ（後述）にスライドして係止させる為のものである。係止部３７Ｄは、図９に示す様に、後方に向かうにつれ、延伸部３７本体から離れる方向に傾斜するように形成されている。従って、鍔３７Ｃをカム部３６の係止溝３６Ｂにスライドして係止し、更に、カム部３６の係止孔３６Ｃ（後述）に係止部３７Ｄを係止することで、カム部３６は火力調節カム２６に装着可能となる。つまり、カム部３６と火力調節カム２６は一体的に形成しておらず、カム部３６は、火力調節カム２６から脱着可能である。
【００３３】
延伸部３７は、図７に示す様に、舌片３７Ｂの裏面（連結部材２５と対向する面）に３つの側歯部３５を有する。３つの側歯部３５を有する理由は、操作つまみ１４が必要以上の力で回動された時に、側歯部３５の破損を防止する為である。従って、延伸部３７を形成する素材の強度によっては、側歯部３５は１つであっても良いし、２つであっても良い。もちろん、舌片３７Ｂの前端部に形成可能であるなら４つ以上の側歯部３５を有していても良い。
【００３４】
また、３つの側歯部３５の内で真ん中の側歯部３５の前後方向の長さが他の側歯部３５と比べ、若干長く形成されている。これは、操作つまみ１４を押し込み、操作つまみ１４を操作位置に突出させる過程で、舌片３７Ｂの側歯部３５の前端部と連結部材２５の側歯部３８の後端部とがぶつかり合った状態で安定し、操作つまみ１４が操作位置に突出しないのを防止する為である。舌片３７Ｂの側歯部３５の一部の長さを前後方向に長くすることで、舌片３７Ｂの側歯部３５の前端部と連結部材２５の側歯部３８の後端部とがぶつかり合ったとしても、左右の何れかに滑り易くし、操作つまみ１４を操作位置に確実に突出させることができる。つまり、本実施形態では、３つの側歯部３５の内の真ん中の側歯部３５の前後方向の長さを長くしたが、左右の何れかの側歯部３５の前後方向の長さを長くしても良い。３つの側歯部３５の内で、２つの側歯部３５の前後方向の長さを長くしても良い。しかしながら、舌片３７Ｂの側歯部３５の前端部と連結部材２５の側歯部３８の後端部とがぶつかり合った時の滑り易さの観点から、２つの側歯部３５の前後方向の長さを長くするより、１つの側歯部３５の前後方向の長さを長くする方が好ましい。
【００３５】
各側歯部３８は、図７に示す様に、後方に向かうにつれ先細りするテーパ形状に形成されている。各側歯部３８の後方部分は、図８に示す様に、下方向に向かうにつれ（連結部材２５の外周部に近づくにつれ）先細りするテーパ形状に形成され、図９に示す様に、後方に向かうにつれ、舌片３７Ｂの裏面に近づくように傾斜するように形成されている。
【００３６】
図１０と図１１を参照し、点火ガイド４０と第一傾斜カム部３７Ａについて更に説明する。点火ガイド４０は、左右の後端部に当接部４０Ａを有する。当接部４０Ａは、操作つまみ１４が弱火方向又は強火方向に回動されている状態で押し込み操作された時に、図１０に示す様に、第一傾斜カム部３７Ａに当接し、第一傾斜カム部３７Ａは、押し力を軸心ＡＸ回りの回動力に変換する。これにより、ニードル弁２８は、強制的に第一の所定の位置に移動する。第一の所定の位置は、強火と中火との間の位置あるいは弱火と中火との間の位置である。点火ガイド４０は、点火ガイド４０の前後方向の長さと同じ長さの突起部４０Ｂを略板状に形成された最上部に有する。突起部４０Ｂは、後述するように、第二傾斜カム部３６Ａと当接する為、十分な強度が確保できるのなら、より短くても良い。点火ガイド４０は、上述したように、筒状に形成されており、図１１に示す様に、円弧上状の遊挿孔４０Ｃを有している。点火ガイド４０については、更に後述する。
【００３７】
図１２を参照し、連結部材２５の側歯部３８について説明する。側歯部３８は、図１２に示す様に、連結部材２５の後方部に外周に沿って複数形成されている。各側歯部３８は、前方に向かうにつれ、先細りするテーパ形状に形成されている。また、各側歯部３８の前方部分は、軸心ＡＸから離れるにつれ、先細りする形状に形成され、且つ前方に向かうにつれ軸心ＡＸに近づくように傾斜して形成されている。舌片３７Ｂの側歯部３５の一部の長さを変えるかわりに、前後方向の長さが長い側歯部３８と前後方向の長さが短い側歯部３８とが交互に配置されても良い。こうすることで、舌片３７Ｂの側歯部３５の前端部と連結部材２５の側歯部３８の後端部とがぶつかり合った時に、左右の何れかに滑り易くできる。従って、操作つまみ１４を操作位置に確実に突出させることができる。連結部材２５については、更に後述する。
【００３８】
図１３を参照し、カム部３６について説明する。図１３に示すカム部３６は、左下方向に少し傾けた状態の図である。カム部３６の裏面には第二傾斜カム部３６Ａを有する。第二傾斜カム部３６Ａは、前方右下方向に傾斜するカム部と前方左下方向に傾斜するカム部とから形成されている。第二傾斜カム部３６Ａは、操作つまみ１４が押し操作された時に、点火ガイド４０の突起部４０Ｂと当接し、押し力を軸心ＡＸ回りの回動力に変換する。これにより、ニードル弁２８は強制的に第二の所定の位置に移動する。第二の所定の位置は中火の位置であるのが好ましい。但し、奥バーナ６においては、手前側に設置されている右バーナ４と左バーナ５に比べ、ガス流量が小さく設定されている。その為、点火の安定性を保つ為に、第二の所定の位置は強火相当の位置が好ましい。従って、奥バーナ６の点火ガイド４０の突起部４０Ｂは、前方視した時、最上部より右側に配置される。カム部３６は、後部の左右の下側に係止溝３６Ｂと、後部の中央に係止孔３６Ｃを有する。係止溝３６Ｂと係止孔３６Ｃは、上述したように、カム部３６を火力調節カム２６に装着する為のものである。
【００３９】
上述したように、本実施形態の燃料供給装置２０は、操作つまみ１４を押し込み操作した時に、最初に第一傾斜カム部３７Ａが点火ガイド４０の当接部４０Ａに当接し、第一傾斜カム部３７Ａは、押し力を軸心ＡＸ回りの回動力に変換する。これにより、ニードル弁２８は第一の所定の位置に移動する。そして、第二傾斜カム部３６Ａが点火ガイド４０の突起部４０Ｂに当接し、第二傾斜カム部３６Ａは、押し力を軸心ＡＸ回りの回動力に変換する。これにより、ニードル弁２８は第二の所定の位置に移動する。つまり、本実施形態の燃料供給装置２０は、二段階でニードル弁２８を第二の所定の位置（目的の位置）に移動させる。従来の様に、点火ガイド４０と第一傾斜カム部３７Ａのみで、ニードル弁２８を第二の所定の位置に移動する為には、点火ガイド４０と第一傾斜カム部３７Ａを大型化する必要があった。この場合、燃料供給装置２０の左右の長さ（幅）が大きくなり、燃料供給装置２０を左右に並べて配置することが困難となる。一方、本実施形態では、二段階でニードル弁を第二の所定の位置に移動するため、第一傾斜カム部３７Ａと点火ガイド４０を小型化することができる。
【００４０】
図１４を参照し、連結部材２５と弾性部材４１と点火ガイド４０の連結状態を説明する。図１４に示す様に、連結部材２５は、連結部材２５の前側端部が操作つまみ１４と連結する為、一番前側に配置される。点火ガイド４０は、点火ガイドの４０の後側端部が、プッシュ・プッシュ機構２４と連結される為、一番後側に配置される。つまり、弾性部材４１は、連結部材２５と点火ガイド４０とに挟まれて配置される。
【００４１】
図１５を参照し、点火ガイド４０について更に説明する。図１５は、点火ガイド４０の前面に結合する弾性部材４１の前面視図である。点火ガイド４０の前面には、図１５に示す弾性部材４１を前面視した場合の形状に合わせて、凹部４０Ｄが形成されている。凹部４０Ｄの後面（底面）には、弾性部材４１の位置ズレを防止する為の突起部４０Ｂが左右に２つ形成されている。突起部４０Ｂは、弾性部材４１の位置ズレを防止する為のものであるので、２つ以上でれば良い。しかしながら、コスト面を考慮すると突起部４０Ｂは２つであることが好ましい。また、凹部４０Ｄは、突起部４０Ｂを有するので、弾性部材４１が凹部に収まる形状であれば良い。しかしながら、凹部４０Ｄの形状は、弾性部材４１を前面視した場合の形状に合わせる方が、弾性部材４１の位置ズレを防ぐことができるのでより好ましい。
【００４２】
図１４乃至図１６を参照し、弾性部材４１について説明する。図１５と図１６は、板バネ部材を例示している。弾性部材４１は、図１４と図１５に示す様に、点火ガイド４０の突起部４０Ｂに対向する位置に２つの孔を有している。弾性部材４１は、図１５と図１６に示す様に、弾性を得る為に切り起こし部４１Ｂを有している。また、弾性部材４１は、切り起こし部４１Ｂの略最上部に突起部４１Ｃを有する。突起部４１Ｃは複数であっても良い。突起部４１Ｃは、連結部材２５と弾性部材４１と点火ガイド４０が連結されている時に、凹凸部２５Ｃ（後述）の凹みに少なくとも突起の一部が挿入される様に形成されている。弾性部材４１は、板バネ部材の場合、突起部４１Ｃを有しても有さなくても良い。突起部４１Ｃを有した方が、操作つまみ１４を回動させた時にクリック感を得られるのでより好ましい。弾性部材４１は、位置ズレせず突起部を有するものであればコイルばねなどであって良い。突起部４１Ｃは、２以上であっても良い。突起部４１Ｃの材質は弾性部材４１の材質と異なっていても良い。突起部４１Ｃの材質は、凹凸部２５Ｃと擦れ合う為、ある程度の強度があるのが好ましい。
【００４３】
図１２を参照し、連結部材２５について更に説明する。図１２に示す様に、連結部材２５は、軸心ＡＸを軸心とし、前後に貫通する円筒状の嵌合深孔２５Ａを有する。嵌合深孔２５Ａは、軸心ＡＸがズレなければ形状は円筒状に限定されない。連結部材２５は、嵌合深孔２５Ａの後端部周縁に円周状の凹部２５Ｂを有する。連結部材２５は、図１０に示す様に、凹部２５Ｂの前面（底面）の全周に、複数の凹凸部２５Ｃを有する。凹凸部２５Ｃは、連結部材２５と弾性部材４１と点火ガイド４０が連結されている時に、弾性部材４１の切り起こし部４１Ｂに当接する。操作つまみ１４を回動すると連結部材２５は一体的に回動するので、凹凸部２５Ｃは、切り起こし部４１Ｂに当接しながら回動する。切り起こし部４１Ｂは突起部４１Ｃを有しているので、操作つまみ１４を回動させると、クリック感が得られることになる。なお、操作つまみ１４の回転角度以上の部分に凹凸部２５Ｃは形成されていれば良い。操作つまみ１４の回転角度の一例は１２０°である。つまり、凹凸部２５Ｃは、操作つまみ１４の回転角度以上の扇状であっても良い。
【００４４】
上記実施形態によれば、燃料供給装置２０は、前方向に延びる軸体を有するプッシュ・プッシュ機構２４と火力調節カム２６を備える。燃料供給装置２０は、後方向に延びる連結部材２５を有し、連結部材２５の内部に軸方向に沿って設けた軸体と嵌合する嵌合深孔２５Ａを同軸に設けた操作つまみ１４を備える。火力調節カム２６は、軸体を嵌合深孔２５Ａに挿入し、操作つまみ１４を押し込み方向回りに回動させることで燃料を調整する。火力調節カム２６は、連結部材２５の奥方向の端部の開口部周縁部に環状又は扇状の凹凸部２５Ｃが形成されている。プッシュ・プッシュ機構２４は、軸体に挿入され、凹凸部２５Ｃに当接する少なくとも一つの突起部４１Ｃを有する弾性部材４１を有する。このように構成することで、操作つまみ１４が回動操作されると、凹凸部２５Ｃと突起部４１Ｃが擦れ合って、操作者に操作感を与えることができる。故に、操作者の不安感を払拭することができる。
【００４５】
上記説明において、ガスコンロ１は、「ガスコンロ」の一例である。操作つまみ１４は、「操作つまみ」の一例である。燃料供給装置２０は、「燃料供給装置」の一例である。軸体（図示略）は、「内軸」の一例である。プッシュ・プッシュ機構２４と火力調節カム２６は、「固定部」の一例である。連結部材２５は、「外軸」の一例である。嵌合深孔２５Ａは、「孔」の一例である。凹凸部２５Ｃは、「凹凸部」の一例である。弾性部材４１は、「突起部材」の一例である。突起部４１Ｃは、「突起」の一例である。凹部２５Ｂは、「凹部」の一例である。切り起こし部４１Ｂは、「切り起こし」の一例である。弾性部材４１は、「板バネ部材」の一例である。
【符号の説明】
【００４６】
１            ガスコンロ
１４          操作つまみ
２０          燃料供給装置
２４          プッシュ・プッシュ機構
２５          連結部材
２５Ａ        嵌合深孔
２５Ｂ        凹部
２５Ｃ        凹凸部
２６          火力調節カム
４１          弾性部材
４１Ｂ        切り起こし
４１Ｃ        突起
【図１】
2019044994.tif 000003
【図２】
2019044994.tif 000004
【図３】
2019044994.tif 000005
【図４】
2019044994.tif 000006
【図５】
2019044994.tif 000007
【図６】
2019044994.tif 000008
【図７】
2019044994.tif 000009
【図８】
2019044994.tif 000010
【図９】
2019044994.tif 000011
【図１０】
2019044994.tif 000012
【図１１】
2019044994.tif 000013
【図１２】
2019044994.tif 000014
【図１３】
2019044994.tif 000015
【図１４】
2019044994.tif 000016
【図１５】
2019044994.tif 000017
【図１６】
2019044994.tif 000018